(57)【要約】【課題】複数の暖房端末の一括発停機能を有する暖房熱源装置において、運転開始時における各暖房端末の立上り性能を向上させる。【解決手段】暖房熱源装置１００は、複数の暖房端末３０に対して熱媒を循環供給するための熱源機１０と、複数の暖房端末３０にそれぞれ対応して設けられ、対応する暖房端末３０の運転時に開放されることにより、対応する暖房端末３０および熱源機１０の間に熱媒の循環供給経路を形成するように構成された複数の開閉弁３２とを備える。複数の暖房端末３０の一括運転が指示されたときには、熱源機１０は、複数の開閉弁３２を、各々の開放時間が重複しないように順次開放させる第１のモードを実行する。第１のモードを実行した後、熱源機１０はさらに、複数の暖房端末３０の一括停止が指示されるまで、複数の開閉弁３２を同時に開放させて各々の開放時間の少なくとも一部を重複させる第２のモードを断続的に実行する。【選択図】図１
2019128072.tif 000002
【特許請求の範囲】
【請求項１】
熱媒吐出口および熱媒戻口の間に並列に接続された複数の暖房端末に対して熱媒を循環供給するための熱源機と、
前記複数の暖房端末にそれぞれ対応して設けられ、対応する暖房端末の運転時に開放されることにより、対応する前記暖房端末および前記熱源機の間に前記熱媒の循環供給経路を形成するように構成された複数の開閉弁とを備え、
前記複数の暖房端末の一括運転が指示されたときには、前記熱源機は、
前記複数の開閉弁を、各々の開放時間が重複しないように順次開放させる第１のモードを実行し、さらに、
前記第１のモードを実行した後、前記複数の暖房端末の一括停止が指示されるまで、前記複数の開閉弁を同時に開放させて各々の開放時間の少なくとも一部を重複させる第２のモードを断続的に実行する、暖房熱源装置。
【請求項２】
前記熱源機は、前記一括運転が指示された場合において、前記循環供給経路への水張りを行なうときには、前記第１のモードを実行する一方で、
前記一括運転が指示された場合において、前記水張りが完了しているときには、前記第１のモードを実行することなく、前記第２のモードを実行する、請求項１に記載の暖房熱源装置。
【請求項３】
前記熱源機は、前記一括運転が指示された場合において、前記熱媒の温度を上昇させて行なう迅速加熱運転を行なうときには、前記第１のモードを実行する一方で、
前記一括運転が指示された場合において、前記迅速加熱運転を行なわないときには、前記第１のモードを実行することなく、前記第２のモードを実行する、請求項１に記載の暖房熱源装置。
【請求項４】
熱媒吐出口および熱媒戻口の間に並列に接続された複数の暖房端末に対して熱媒を循環供給するための熱源機と、
前記複数の暖房端末にそれぞれ対応して設けられ、対応する暖房端末の運転時に開放されることにより、対応する前記暖房端末および前記熱源機の間に前記熱媒の循環供給経路を形成するように構成された複数の開閉弁とを備え、
前記複数の暖房端末のすべての立上げが完了する一括立上げ完了時刻が予約された場合において、前記一括立上げ完了時刻に基づいた前記一括運転の開始時刻が到来したときには、前記熱源機は、
前記複数の開閉弁を、各々の開放時間が重複しないように順次開放させる第１のモードを実行し、さらに、
前記第１のモードを実行した後、前記複数の暖房端末の一括停止が指示されるまで、前記複数の開閉弁を同時に開放させて各々の開放時間の少なくとも一部を重複させる第２のモードを断続的に実行する、暖房熱源装置。
【請求項５】
前記熱源機は、前記一括立上げ完了時刻が予約されていない場合において、前記一括運転が指示されたときには、前記第１のモードを実行することなく、前記第２のモードを実行する、請求項４に記載の暖房熱源装置。
【請求項６】
前記熱源機は、前記第１のモードの実行時には、予め設定された優先順位に従って、前記複数の開閉弁を順次開放させるように構成され、
前記熱源機は、
前記優先順位を設定するための設定手段と、
設定された前記優先順位を記憶するための記憶手段とを含む、請求項１から５のいずれか１項に記載の暖房熱源装置。
【請求項７】
前記熱源機は、前記第１のモードの実行時には、前記循環供給経路に供給される前記熱媒の温度が設定温度に到達したときに、各前記複数の開閉弁を閉じる、請求項１から６のいずれか１項に記載の暖房熱源装置。
【請求項８】
前記熱源機は、前記複数の暖房端末のすべての立上げが完了する一括立上げ完了時刻が予約された場合において、前記一括立上げ完了時刻に基づいた前記一括運転の開始時刻が到来したときには、前記第２のモードを実行する、請求項１に記載の暖房熱源装置。
【請求項９】
前記熱源機は、前記第２のモードの実行時における各前記複数の暖房端末の立上げ時間のうち最長立上げ時間を学習するための学習手段を含み、
前記一括立上げ完了時刻および、前記学習手段により学習された前記最長立上げ時間に基づいて、前記一括運転の開始時刻を設定する、請求項８に記載の暖房熱源装置。
【発明の詳細な説明】
【技術分野】
【０００１】
この発明は、暖房熱源装置に関する。
【背景技術】
【０００２】
熱源機の熱媒吐出口および熱媒戻口の間に複数の暖房端末を並列に接続し、これら複数の暖房端末に対して熱媒を循環供給する暖房熱源装置が、たとえば、特開２００４−２５７６４５号公報（特許文献１）に記載されている。
【０００３】
特許文献１に記載の暖房熱源装置は、複数の暖房端末（例えば、床暖房パネル）にそれぞれ対応して設けられ、対応する暖房端末への熱媒の供給および停止を行なうための複数の熱動弁を備えており、複数の熱動弁の１つが開くと熱源機が運転され、全ての熱動弁が閉じると熱源機が運転停止されるように構成されている。各熱動弁は、対応する暖房端末（床暖房パネル）が設置された部屋に設置された床暖房リモコンによって個別に開閉制御される。
【先行技術文献】
【特許文献】
【０００４】
【特許文献１】特開２００４−２５７６４５号公報
【発明の概要】
【発明が解決しようとする課題】
【０００５】
特許文献１の暖房熱源装置では、暖房熱源装置が備える熱源リモコンの運転スイッチを入れると、熱源機が運転可能な状態とされ、その後、暖房したい部屋の暖房リモコンの運転スイッチを入れると、対応する熱動弁が開いて暖房端末に熱媒が供給され、当該部屋の暖房が行なわれる。
【０００６】
この種の暖房熱源装置では、ユーザの利便性の観点から、熱源リモコンの運転スイッチを入り切りすることで、複数の暖房リモコンの運転スイッチが一括して入り切りされ、結果的に複数の暖房端末の運転および停止を一括して行なうことができる、一括発停機能を備えたものが検討されている。
【０００７】
しかしながら、熱源リモコンの運転スイッチを入れたときには、全ての熱動弁が同時に開いて全ての暖房端末への熱媒の供給が同時に行なわれるため、各暖房端末への熱媒の供給量が減少してしまい暖房能力が低下する虞がある。そのため、各暖房端末の立上りに時間がかかってしまうことが懸念される。
【０００８】
この発明はこのような問題点を解決するためになされたものであって、この発明の目的は、複数の暖房端末の一括発停機能を有する暖房熱源装置において、運転開始時における各暖房端末の立上り性能を向上させることである。
【課題を解決するための手段】
【０００９】
この発明に従う暖房熱源装置は、熱源機と、複数の開閉弁とを備える。熱源機は、熱媒吐出口および熱媒戻口の間に並列に接続された複数の暖房端末に対して熱媒を循環供給するように構成される。複数の開閉弁は、複数の暖房端末にそれぞれ対応して設けられ、対応する暖房端末の運転時に開放されることにより、対応する前記暖房端末および前記熱源機の間に前記熱媒の循環供給経路を形成するように構成される。複数の暖房端末の一括運転が指示されたときには、熱源機は、複数の開閉弁を、各々の開放時間が重複しないように順次開放させる第１のモードを実行する。熱源機は、さらに、第１のモードを実行した後、複数の暖房端末の一括停止が指示されるまで、複数の開閉弁を同時に開放させて各々の開放時間の少なくとも一部を重複させる第２のモードを断続的に実行する。
【００１０】
上記暖房熱源装置によれば、複数の暖房端末の一括運転のための暖房熱源装置の運転開始時において、第１のモードによって複数の開閉弁の開閉制御を実行することにより、各暖房端末の立上り性能を向上させることができる。これによると、運転開始時に水張りを行なう場合や、後述するホットダッシュ制御が適用されている場合においても、各暖房端末を迅速に立上げることができる。
【００１１】
また、上記暖房熱源装置においては、第１のモードによって全ての暖房端末の立上げを完了した後は、第２のモードによる複数の開閉弁の開閉制御に移行し、第２のモードを断続的に実行することにより、立上げの完了後においても第１のモードを継続して実行する場合に比べて、暖房熱源装置の運転効率を向上させることができる。したがって、上記暖房熱源装置によれば、各暖房端末の立上り性能の確保と暖房熱源装置の運転効率の向上とを両立させることができる。
【００１２】
上記暖房熱源装置において好ましくは、熱源機は、一括運転が指示された場合において、循環供給経路への水張りを行なうときには、前記第１のモードを実行する。一方で、熱源機は、一括運転が指示された場合において、水張りが完了しているときには、第１のモードを実行することなく、第２のモードを実行する。
【００１３】
このようにすると、暖房熱源装置の運転開始時に水張りを行なう場合には、第１のモードを実行することにより、各暖房端末の水張りを速やかに行ない、各暖房端末を迅速に立上げることができる。また、運転開始時において水張りを行なわない場合には、第１のモードに代えて、第２のモードを実行することにより、各暖房端末の立上り性能に支障のない範囲で、暖房熱源装置の運転効率をさらに高めることができる。
【００１４】
上記暖房熱源装置において好ましくは、熱源機は、一括運転が指示された場合において、熱媒の温度を上昇させて行う迅速加熱運転を行なうときには、第１のモードを実行する。一方で、熱源機は、一括運転が指示された場合において、迅速加熱運転を行なわないときには、第１のモードを実行することなく、第２のモードを実行する。
【００１５】
このようにすると、暖房熱源装置の運転開始時に迅速加熱運転を行なう場合には、第１のモードを実行することにより、各暖房端末を迅速に立上げることができる。また、運転開始時において迅速加熱運転を行なわない場合には、第１のモードに代えて、第２のモードを実行することにより、各暖房端末の立上り性能に支障のない範囲で、暖房熱源装置の運転効率をさらに高めることができる。
【００１６】
この発明に従う暖房熱源装置は、熱源機と、複数の開閉弁とを備える。熱源機は、熱媒吐出口および熱媒戻口の間に並列に接続された複数の暖房端末に対して熱媒を循環供給するように構成される。複数の開閉弁は、複数の暖房端末にそれぞれ対応して設けられ、対応する暖房端末の運転時に開放されることにより、対応する暖房端末および熱源機の間に熱媒の循環供給経路を形成するように構成される。複数の暖房端末のすべての立上げが完了する一括立上げ完了時刻が予約された場合において、一括立上げ完了時刻に基づいた一括運転の開始時刻が到来したときには、熱源機は、複数の開閉弁を、各々の開放時間が重複しないように順次開放させる第１のモードを実行する。熱源機は、さらに、第１のモードを実行した後、複数の暖房端末の一括停止が指示されるまで、複数の開閉弁を同時に開放させて各々の開放時間の少なくとも一部を重複させる第２のモードを断続的に実行する。
【００１７】
上記暖房熱源装置によれば、一括運転が予約された場合の暖房熱源装置の運転開始時において、第１のモードを実行し、一括運転が予約されることなく、一括運転が指示された場合の運転開始時には、第２のモードを実行することにより、第１のモードの実行時に複数の暖房端末の間に生じる立上りの時間差の影響を軽減することができる。
【００１８】
上記暖房熱源装置において好ましくは、熱源機は、第１のモードの実行時には、予め設定された優先順位に従って、複数の開閉弁を順次開放させるように構成される。熱源機は、優先順位を設定するための設定手段と、設定された前記優先順位を記憶するための記憶手段とを含む。
【００１９】
このようにすると、第１のモードの実行時に複数の暖房端末の間に生じる立上りの時間差の影響を軽減することができる。よって、ユーザの利便性を向上させることができる。
【００２０】
上記暖房熱源装置において好ましくは、熱源機は、第１のモードの実行時に、循環供給経路に供給される前記熱媒の温度が設定温度に到達したときに、各複数の開閉弁を閉じる。
【００２１】
このようにすると、第１のモードの実行時には、複数の開閉弁の開閉制御を熱源機が一括して実行することで、各開閉弁の開閉を速やかに切替えることができる。
【００２２】
上記暖房熱源装置において好ましくは、熱源機は、複数の暖房端末のすべての立上げが完了する一括立上げ完了時刻が予約された場合において、一括立上げ完了時刻に基づいた一括運転の開始時刻が到来したときには、第２のモードを実行する。
【００２３】
このようにすると、一括運転が予約された場合の熱源暖房装置の運転開始時において、第２のモードを実行することにより、各暖房端末の立上り性能に支障のない範囲で、暖房熱源装置の運転効率をさらに高めることができる。
【００２４】
上記暖房熱源装置において好ましくは、熱源機は、第２のモードの実行時における各複数の暖房端末の立上げ時間のうち最長立上げ時間を学習するための学習手段を含む。熱源機は、一括立上げ完了時刻および、学習手段により学習された最長立上げ時間に基づいて、一括運転の開始時刻を設定する。
【００２５】
このようにすると、第２のモード時の一括立上げ時間となる最長立上げ時間の精度を高めることができるため、予約された一括立上げ完了時刻において正確に全ての暖房端末の立上げを完了させることができる。
【発明の効果】
【００２６】
この発明によれば、複数の暖房端末の一括発停機能を有する暖房熱源装置において、運転開始時における各暖房端末の立上り性能を向上させることができる。
【図面の簡単な説明】
【００２７】
【図１】本発明の実施の形態に従う暖房熱源装置の概略構成図である。
【図２】暖房熱源装置が有する一括発停モードについて説明するための概念図である。
【図３】熱源機、熱源リモコンおよび暖房リモコンを説明する機能ブロック図である。
【図４】一括発停モードにおける暖房熱源装置の動作を説明するためのタイミングチャートである。
【図５】系統管理テーブルの構成を説明する図である。
【図６】予約スイッチが操作された場合の一括発停モードにおける暖房熱源装置の動作の第１態様を説明するためのタイミングチャートである。
【図７】予約スイッチが操作された場合の一括発停モードにおける暖房熱源装置の動作の第２態様を説明するためのタイミングチャートである。
【発明を実施するための形態】
【００２８】
本発明の実施の形態について、図面を参照しながら詳細に説明する。なお、図中の同一または相当する部分については、同一符号を付してその説明は繰返さない。
【００２９】
［実施の形態１］
図１は、本発明の実施の形態に従う暖房熱源装置１００の概略構成図である。
【００３０】
図１を参照して、暖房熱源装置１００は、熱源機１０を備える。熱源機１０は、熱媒戻口９および暖房出力口１１，１２を経由して暖房端末に対して液体の熱媒である温水を循環供給する。暖房端末は、低温暖房端末である暖房端末３０と、高温暖房端末（図示せず）とを含む。
【００３１】
熱源機１０は、熱媒循環回路１と、一次熱交換器２と、二次熱交換器３と、循環ポンプ４と、暖房膨張タンク５と、燃焼バーナ７と、送風ファン８と、コントローラ１４と、低温サーミスタ１５と、高温サーミスタ１６と、水位電極１７とを主に備える。
【００３２】
熱媒循環回路１は、暖房戻口９と暖房出力口（高温）１１との間、および、暖房戻口９と暖房出力口（低温）１２との間のそれぞれに、熱媒（代表的には、温水）の循環供給経路を形成するように構成される。
【００３３】
一次熱交換器２および二次熱交換器３は、熱媒循環回路１に接続されている。一次熱交換器２は、燃焼バーナによる燃焼ガスの顕熱（燃焼熱）により熱媒を熱交換によって加熱する。二次熱交換器３は、燃焼バーナからの燃焼排ガスの潜熱によって通流された熱媒を熱交換によって加熱する。一次熱交換器２および二次熱交換器３は互いに接続されている。一次熱交換器２は燃焼バーナの上方に位置し、二次熱交換器３は一次熱交換器２の上方に位置する。
【００３４】
循環ポンプ４は、熱媒循環回路１に熱媒を循環させる。循環ポンプ４は、一次熱交換器２よりも熱媒循環回路１の上流側に配置されている。暖房膨張タンク５は、熱媒循環回路１を循環する熱媒を一時的に保留する。暖房膨張タンク５は、熱媒の温度変化に起因した体積膨張に伴う圧力上昇または収縮に伴う圧力低下を抑制するように構成されている。また、暖房膨張タンク５は、熱媒を補水可能に構成されている。暖房膨張タンク５の水位低下時には、補給水弁６を開放することにより、暖房膨張タンク５内に給水することができる。暖房膨張タンク５は、循環ポンプ４よりも熱媒循環回路１の上流側に配置されている。
【００３５】
燃焼バーナ７は、燃焼ガスを生成する。送風ファン８は、燃焼バーナ７に燃焼用の空気を供給する。送風ファン８は、燃焼バーナ７よりも下方に配置されている。
【００３６】
熱媒循環回路１は、低温往き回路１ａと、高温往き回路１ｂと、バイパス回路１ｃとを有する。低温往き回路１ａは、暖房端末（高温暖房端末および低温暖房端末）から戻ってきた熱媒を二次熱交換器３で加熱して暖房端末３０に供給する。高温往き回路１ｂは、暖房端末から戻ってきた熱媒を二次熱交換器３で加熱した後に一次熱交換器２で加熱して高温暖房端末（図示せず）に供給する。バイパス回路１ｃは、高温往き回路１ｂを分岐し、高温暖房端末に供給する熱媒の一部を暖房膨張タンク５よりも上流側の熱媒循環回路１に合流させる。
【００３７】
低温サーミスタ１５は、暖房膨張タンク５に接続されている。低温サーミスタは、タンク内の湯温を検出し、検出値を示す信号をコントローラ１４に与える。低温サーミスタ１５による検出温度は、低温往き回路１ａの温度に相当する。
【００３８】
高温サーミスタ１６は、一次熱交換器２よりも下流側の熱媒循環回路１に接続されている。高温サーミスタ１６は、高温往き回路１ｂの温度を検出し、検出値を示す信号をコントローラ１４に与える。高温サーミスタ１６による検出温度は、一次熱交換器２の出力温度（缶体出側温度）に相当する。
【００３９】
水位電極１７は、暖房膨張タンク５に接続されている。水位電極１７は、タンク内の低水位（Ｌ：低位）を検出するための電極部と、高水位（Ｈ：高位）を検出するための電極部とを有する。水位電極１７は、タンク内の水位を検出し、検出値を示す信号をコントローラ１４に与える。水位電極１７の検出値は、タンク内の水位が低水位未満であるときにオフ状態（論理レベルが「０」）を示し、タンク内の水位が高水位以上であるときにオン状態（論理レベルが「１」）を示す。
【００４０】
コントローラ１４は、たとえば、マイクロコンピュータ（マイコン）によって構成される。コントローラ１４は、各センサからの出力信号（検出値）およびユーザ指令を受けて、暖房熱源装置１００の全体動作を制御するために、各機器への制御指令を発生する。ユーザ指令には、暖房熱源装置１００の運転オン／オフ指令が含まれる。たとえば、ユーザ指令は、熱源リモコン２０または暖房リモコン３４に対して入力される。熱源リモコン２０および暖房リモコン３４は、通信線によってコントローラ１４と接続される。
【００４１】
暖房熱源装置１００の運転時には、循環ポンプ４の駆動によって形成される熱媒循環経路を循環する熱媒が、燃焼バーナ７での燃焼によって加熱される。コントローラ１４は、燃焼バーナ７による要求発生熱量を、高温サーミスタ１６に検出された缶体出側温度の検出値が目標値へ制御されるように算出する。すなわち、燃焼バーナ７による要求発生熱量は、熱源機１０における缶体目標温度と、高温サーミスタ１６による検出温度（缶体出側温度）と、低温サーミスタ１５による検出温度（タンク内湯温）とに基づいて算出することができる。
【００４２】
コントローラ１４は、算出された要求発生熱量に従って、燃焼バーナ７への供給ガス量を算出する。さらに、コントローラ１４は、この供給ガス量が実現されるように、燃焼バーナ７のうちのバーナ燃焼本数およびガス流量を制御する。
【００４３】
さらに、コントローラ１４は、算出された供給ガス量に対して、送風ファン８による送風量の比（空燃比）が所定値（たとえば、理想空燃比）となるように、送風ファン８の回転数を制御する。
【００４４】
次に、暖房熱源装置１００における熱媒の通流経路をさらに詳細に説明する。
図１に示すように、暖房出力口（低温）１２と暖房戻口９との間には、複数の暖房端末３０が接続される。暖房熱源装置１００は、複数の開閉弁３２をさらに備える。複数の開閉弁３２は、複数の暖房端末３０にそれぞれ接続される。開閉弁３２は、代表的には、熱動弁によって構成される。
【００４５】
開閉弁３２は、対応する暖房端末３０の運転時に開放される。開閉弁３２が開放されると、対応の暖房端末３０および熱源機１０の間に、暖房戻口９および暖房出力口１２を経由した、熱媒の循環供給経路が形成される。たとえば、暖房端末３０は、熱源機１０からの熱媒が通流される、床暖房用の温水パネルによって構成される。
【００４６】
各暖房端末３０には、暖房リモコン３４が接続される。暖房リモコン３４は、たとえば、暖房端末３０が設置された部屋の壁面に設置される。暖房リモコン３４は、通信線によってコントローラ１４と接続される。
【００４７】
コントローラ１４は、各暖房リモコン３４との間の通信によって、暖房端末３０ごとに、開閉弁３２の開閉を制御することができる。具体的には、暖房したい部屋に設置されている暖房リモコン３４の運転スイッチがオンにされると、暖房リモコン３４は、対応する暖房端末３０を運転するための運転オン指令を生成して、コントローラ１４に出力する。コントローラ１４は、暖房リモコン３４から運転オン指令を受けると、対応する暖房端末３０に接続される開閉弁３２を開放させる。また、暖房リモコン３４の運転スイッチがオフにされると、暖房リモコン３４は、対応する暖房端末３０を停止するための運転オフ指令を生成して、コントローラ１４に出力する。コントローラ１４は、暖房リモコン３４から運転オフ指令を受けると、対応する暖房端末３０に接続される開閉弁３２を閉じる。
【００４８】
暖房リモコン３４は、対応する暖房端末３０の運転中、内蔵する室温センサによる検出温度と設定温度との温度偏差に応じて、開閉弁３２の開放時間を制御することができる。暖房リモコン３４は、開放時間が満了すると、運転オフ指令を生成して、コントローラ１４に出力する。コントローラ１４は、暖房リモコン３４から運転オフ指令を受けると、対応する暖房端末３０に接続される開閉弁３２を閉じる。
【００４９】
複数の暖房端末３０は、熱源機１０に対して並列接続されているため、コントローラ１４は、各開閉弁３２の開閉によって、暖房端末３０ごとに運転および停止が制御できる。また、コントローラ１４は、各開閉弁３２に対する開閉指令に基づき、複数の暖房端末３０のうちの、運転中の暖房端末３０の台数を検知することができる。
【００５０】
なお、図示は省略するが、暖房戻口９と暖房出力口（高温）１１との間には、高温暖房端末が接続される。高温暖房端末には開閉弁が接続されており、開閉弁の開閉は、高温暖房端末のコントローラ（図示せず）によって制御される。開閉弁は、高温暖房端末の運転時に開放される。開閉弁が開放されると、高温暖房端末および熱源機１０の間に、暖房戻口および暖房出力口１１を経由した、熱媒の循環経路が形成される。たとえば、高温暖房端末は、熱源機１０からの熱媒によって加熱された温風を出力する、ルームヒーターによって構成される。
【００５１】
暖房熱源装置１００においては、循環ポンプ４が作動すると、暖房戻口９と、暖房出力口１１および／または暖房出力口１２とを経由して、暖房端末３０および／または高温暖房端末に対して熱媒（温水）を循環供給する。すなわち、循環ポンプ４の駆動によって、暖房熱源装置１００内には、暖房戻口９と、暖房出力口１１，１２との間に、熱媒循環供給経路が形成される。以下、この熱媒循環供給経路についてさらに説明する。
【００５２】
循環ポンプ４の駆動によって、暖房戻口９から熱媒循環回路１、二次熱交換器３および暖房膨張タンク５を経由して、循環ポンプ４の吸入口に至る経路が形成される。暖房膨張タンク５から循環ポンプ４に吸入された熱媒は、循環ポンプ４の出力口から、低温往き回路１ａおよび高温往き回路１ｂの分岐部へ出力される。熱媒は、この分岐部において、暖房出力口１２に至る低温往き回路１ａと、一次熱交換器２を通過する高温往き回路１ｂとに分岐される。高温往き回路１ｂは、一次熱交換器２の通過後に暖房出力口１１から熱媒を出力する。バイパス回路１ｃは、一次熱交換器２の通過後に再び暖房膨張タンク５よりも上流側の熱媒循環回路１へ至る。
【００５３】
図１の構成において、熱媒循環回路１、一次熱交換器２、二次熱交換器３、循環ポンプ４および暖房膨張タンク５によって、熱源機１０内の「熱媒循環経路」が形成される。また、暖房戻口９は「熱媒戻口」に対応し、暖房出力口１１，１２は「熱媒吐出口」に対応する。
【００５４】
図１の構成から理解されるように、高温暖房端末に対しては、暖房出力口１１から、一次熱交換器２を通過した高温水が供給される。すなわち、高温暖房端末へ供給される熱媒の温度は、缶体目標温度によって制御することができる。一方で、暖房端末３０に対しては、暖房出力口１２から、暖房膨張タンク５内の湯が供給される。
【００５５】
暖房膨張タンク５内の湯温は、缶体出側温度と、高温往き回路１ｂとバイパス回路１ｃとの流量比率によって決まる。バイパス回路１ｃを通流して暖房膨張タンク５へ至る熱媒の比率を高めることによって、暖房膨張タンク５内の湯温、すなわち、暖房出力口１２から出力される熱媒の温度を上昇させることができる。バイパス回路１ｃには、オリフィスおよび熱動弁（図示せず）が設けられており、高温往き回路１ｂとバイパス回路１ｃとの間の流量比率は、オリフィスの径および熱動弁の開閉によって制御することができる。
【００５６】
次に、本発明の実施の形態に従う暖房熱源装置１００の動作について説明する。
本実施の形態に係る暖房熱源装置１００は、複数の暖房リモコン３４のうちいずれか１つの暖房リモコン３４の運転スイッチがオンにされると、熱源リモコン２０の運転スイッチがオンとなり、暖房熱源装置１００が始動し、対応する暖房端末３０を運転するように構成される。また、複数の暖房リモコン３４の運転スイッチがすべてオフにされると、熱源リモコン２０の運転スイッチがオフとなり、暖房熱源装置１００が停止するように構成される。
【００５７】
本実施の形態に係る暖房熱源装置１００は、さらに、複数の暖房端末３０の運転および停止を、熱源リモコン２０によって一括して操作することができる「一括発停モード」を有している。以下、図２を用いて、暖房熱源装置１００が有する一括発停モードについて説明する。
【００５８】
図２を参照して、暖房熱源装置１００に対するユーザ指令は、熱源リモコン２０および暖房リモコン３４によって入力される。熱源リモコン２０および暖房リモコン３４は通信線によって熱源機１０のコントローラ１４と接続される。
【００５９】
熱源リモコン２０は、暖房熱源装置１００の運転を入り切りするための運転スイッチ（ＳＷ）２２と、暖房熱源装置１００の運転開始または運転停止の予約を指示するための予約スイッチ２４とを有する。運転スイッチ２２および予約スイッチ２４は、代表的には、プッシュボタンやタッチボタンによって構成することができる。熱源リモコン２０は、たとえば、複数の暖房端末３０全体を監視制御するための集中管理室の壁面に配設される。
【００６０】
暖房リモコン３４は、図１に示したように、暖房端末３０ごとに設けられており、対応する暖房端末３０に対するユーザ指令を入力する。暖房リモコン３４は、対応する暖房端末３０の運転を入り切りするための運転スイッチ３６を含む。運転スイッチ３６は、代表的には、プッシュボタンやタッチボタンによって構成することができる。
【００６１】
一括発停モードでは、熱源リモコン２０の運転スイッチ２２を操作することで、複数の暖房端末３０の運転および停止を一括して操作することができる。具体的には、図２（Ａ）に示すように、ユーザが熱源リモコン２０の運転スイッチ２２をオンにすると、コントローラ１４には、熱源リモコン２０から暖房熱源装置１００の運転オン指令が入力される。コントローラ１４は、この運転オン指令に従って、複数の暖房端末３０を運転するための運転オン指令を生成し、生成した運転オン指令を複数の暖房リモコン３４に出力する。
【００６２】
各暖房リモコン３４は、コントローラ１４から運転オン指令が入力されると、運転スイッチ３６をオンにする。すなわち、熱源リモコン２０の運転スイッチ２２をオンにすることで、複数の暖房リモコン３４の運転スイッチ３６が一括してオンにされる。
【００６３】
各暖房リモコン３４の運転スイッチ３６をオンにすると、コントローラ１４は、各暖房端末３０に接続される開閉弁３２に対して、開閉弁３２を開放するための開指令を発生する。各開閉弁３２が開指令に従って開放されると、対応する暖房端末３０が運転する。これにより、各暖房端末３０および熱源機１０の間に、図１に示した熱媒の循環供給経路が形成される。
【００６４】
また、図２（Ｂ）に示すように、ユーザが熱源リモコン２０の運転スイッチ２２をオフにすると、コントローラ１４には、熱源リモコン２０から暖房熱源装置１００の運転オフ指令が入力される。コントローラ１４は、この運転オフ指令に従って、複数の暖房端末３０を停止するための運転オフ指令を生成し、生成した運転オフ指令を複数の暖房リモコン３４に出力する。
【００６５】
各暖房リモコン３４は、コントローラ１４から運転オフ指令が入力されると、運転スイッチ３６をオフにする。すなわち、熱源リモコン２０の運転スイッチ２２をオフにすることで、複数の暖房リモコン３４の運転スイッチ３６が一括してオフにされる。
【００６６】
各暖房リモコン３４の運転スイッチ３６をオフにすると、コントローラ１４は、各暖房端末３０に接続される開閉弁３２に対して、開閉弁３２を閉じるための閉指令を発生する。各開閉弁３２が閉指令に従って閉じると、対応する暖房端末３０が停止する。
【００６７】
次に、図２に示した熱源機１０、熱源リモコン２０および暖房リモコン３４の構成について説明する。
【００６８】
図３は、熱源機１０、熱源リモコン２０および暖房リモコン３４を説明する機能ブロック図である。
【００６９】
図３を参照して、熱源機１０は、コントローラ１４および通信部１８を有する。コントローラ１４は、マイコン１４０によって構成される。マイコン１４０は、メモリ１４２、ならびに、図示しないＣＰＵ（Central  Processing  Unit）および入出力インターフェイスを内蔵する。通信部１８は、通信線を用いた通信機能を有する。コントローラ１４は、熱源リモコン２０および暖房リモコン３４へ入力されたユーザ指令に従って、熱源機１０の動作を制御する。代表的には、コントローラ１４は、熱源リモコン２０または暖房リモコン３４から暖房熱源装置１００の運転オン指令を受けると、循環ポンプ４を駆動することによって、図１に示した熱媒循環経路を形成する。暖房熱源装置１００の運転中、コントローラ１４は、低温サーミスタ１５および高温サーミスタ１６による検出温度に基づいて、燃焼バーナ７への供給ガス量および送風ファン８の回転数を制御する。また、コントローラ１４は、水位電極１７による暖房膨張タンク５内の水位の検出値に基づいて、補給水弁６の開閉を制御する。コントローラ１４は、さらに、熱源リモコン２０および暖房リモコン３４から入力される運転オン指令および運転オフ指令に従って、各開閉弁３２の開閉を制御する。
【００７０】
熱源リモコン２０は、運転スイッチ２２および予約スイッチ２４と、表示部２６と、マイコン２１と、通信部２８とを有する。通信部２８は、通信線を用いた通信機能を有する。マイコン２１は、マイコン１４０と同様に構成されて、メモリ２３を内蔵する。マイコンは、メモリ２３に記憶された制御ソフトウェアに従って、熱源機１０の遠隔制御機能を発揮する。たとえば、運転スイッチ２２および予約スイッチ２４へのユーザ操作に応じて、熱源機１０を制御するための指令が生成され、通信部２８，１８を経由してコントローラ１４のマイコン１４０へ入力される。表示部２６は、代表的には液晶パネルによって構成することができる。図２に示した一括発停モードには、たとえば、熱源リモコン２０において、表示部２６に表示されたメニュー画面から「一括発停モード」を選択することで設定することができる。
【００７１】
暖房リモコン３４は、運転スイッチ３６と、表示部３８と、マイコン３５と、通信部３９とを有する。通信部３９は、通信線を用いた通信機能を有する。マイコン３５は、マイコン１４０，２１と同様に構成されて、メモリ３５０を内蔵する。マイコン３５は、メモリ３５０に記憶された制御ソフトウェアに従って、暖房端末３０の遠隔制御機能を発揮する。たとえば、運転スイッチ３６へのユーザ操作に応じて、暖房端末３０の運転オン指令または運転オフ指令が生成され、通信部３９，１８を経由してコントローラ１４のマイコン１４０へ入力される。表示部３８は、代表的には液晶パネルによって構成することができる。
【００７２】
次に、一括発停モードにおける暖房熱源装置１００の動作について説明する。
図４は、一括発停モードにおける暖房熱源装置１００の動作を説明するためのタイミングチャートである。以下の説明では、熱源機１０の暖房出力口１２と暖房戻口９との間には、１０台の暖房端末３０が並列に接続されているものとする。すなわち、１０台の暖房端末３０および熱源機１０の間に、第１系統から第１０系統で構成された熱媒循環供給経路が形成されることになる。
【００７３】
図４には、熱源リモコン２０の運転スイッチ２２の状態、低温サーミスタ１５の検出温度（タンク内湯温）、水位電極１７の検出値（タンク内の水位）、および第１系統から第１０系統の各々の開閉弁３２の開閉状態の時間的変化が示されている。
【００７４】
ここで、暖房熱源装置１００においては、設置工事後の最初の運転開始時に、第１から第１０系統の各々に熱媒を充填する水張りを行なう必要がある。図４には、一括発停モードでの暖房熱源装置１００の運転開始時において水張りを行なう場合の動作が示されている。
【００７５】
図４を参照して、時刻ｔ１にて熱源リモコン２０の運転スイッチ２２がオンにされると、１０台の暖房リモコン３４の運転スイッチ３６が一括してオンにされる。各暖房リモコン３４からコントローラ１４に対して、対応する暖房端末３０の運転オン指令が入力される。
【００７６】
各暖房端末３０の運転オン指令を受けると、コントローラ１４は、水位電極１７の検出値に基づいて暖房膨張タンク５内の水位を検知し、検知結果に基づいて補給水弁６および循環ポンプ４を制御する。また、コントローラ１４は、低温サーミスタ１５および高温サーミスタ１６による検出温度に基づいて、燃焼バーナ７への供給ガス量および送風ファン８の回転数を制御する。
【００７７】
具体的には、水位電極１７の検出値がオフ（論理０）であることに基づいて暖房膨張タンク５内に熱媒の無いことを検知すると、コントローラ１４は水張りを行なう。コントローラ１４は、最初に、補給水弁６を開放させ、暖房膨張タンク５内に熱媒を補給する。暖房膨張タンク５内の水位が上昇して、水位電極１７の検出値がオフからオン（論理１）に変化すると、コントローラ１４は、補給水弁６を閉じ、循環ポンプ４を駆動して第１系統から第１０系統に対して熱媒を順次送り込む。
【００７８】
最初に、コントローラ１４は、第１系統における開閉弁３２を開放し、第１系統に熱媒を送り込む。コントローラ１４はさらに、燃焼バーナ７および送風ファン８を駆動し、第１系統を通流する熱媒を、燃焼バーナ７での燃焼によって加熱する。その後、暖房膨張タンク５内の熱媒が減少して水位電極１７の検出値がオフになると、コントローラ１４は、循環ポンプ４を停止させるとともに、補給水弁６を開放して暖房膨張タンク５内に再度熱媒を補給する。これを繰り返すことで、第１系統に熱媒を充填する。
【００７９】
時刻ｔ２にて、低温サーミスタ１５による検出温度（タンク内湯温）が設定温度に到達すると、コントローラ１４は、第１系統の暖房端末３０の立上りが完了したと判断して、第１系統の開閉弁３２を閉じるとともに、燃焼バーナ７および送風ファン８を停止させる。
【００８０】
次に、コントローラ１４は、第２系統へ熱媒を充填する。コントローラ１４は、第２系統における開閉弁３２を開放し、循環ポンプ４を駆動することで、第２系統に熱媒を送り込む。これにより、暖房膨張タンク５内の熱媒が再び減少し、水位電極１７の検出値がオフに変化すると、コントローラ１４は、循環ポンプ４を停止させるとともに、補給水弁６を開放して暖房膨張タンク５内に熱媒を補給する。その後、暖房膨張タンク５内の水位が上昇して、水位電極１７の検出値がオンに変化すると、コントローラ１４は、補給水弁６を閉じ、循環ポンプ４を駆動して第２系統に再度熱媒を送り込む。コントローラ１４はさらに、燃焼バーナ７および送風ファン８を再度駆動し、第２系統を通流する熱媒を、燃焼バーナ７での燃焼によって加熱する。
【００８１】
時刻ｔ３にて、低温サーミスタ１５による検出温度（タンク内湯温）が設定温度に到達すると、コントローラ１４は、第２系統の暖房端末３０の立上りが完了したと判断して、第２系統の開閉弁３２を閉じるとともに、燃焼バーナ７および送風ファン８を停止させる。
【００８２】
以上に示した処理を繰り返すことにより、コントローラ１４は、残りの第３系統から第１０系統に対しても順次熱媒を充填する。時刻ｔ４にて、第１０系統の熱媒が充填され、かつ、低温サーミスタ１５による検出温度が目標温度に到達すると、全ての系統の暖房端末３０の立上りが完了する。
【００８３】
図４に示すように、この一連の処理において、コントローラ１４は、第１系統から第１０系統の開閉弁３２を、各々の開放時間が重複しないように順次開放させる。本願明細書では、このような開閉弁３２の開閉制御を「切替制御」と称する。切替制御は「第１のモード」に相当する。
【００８４】
図２で説明したように、一括発停モードでは、熱源リモコン２０の運転スイッチ２２をオンすることで、全ての系統の暖房リモコン３４の運転スイッチ３６が一括してオンにされる。したがって、コントローラ１４は、各暖房リモコン３４から入力される運転オン指令に従って、全系統の開閉弁３２を一括して開放することができる。
【００８５】
しかしながら、図４のように運転開始時に水張りを行なう場合において、全ての系統の開閉弁３２を同時に開放させると、暖房膨張タンク５の容量および循環ポンプ４の吐出能力などに起因して、全ての系統に対して同時に十分な流量の熱媒を送り込むことが困難となる場合がある。各系統に通流する熱媒の流量が不足することで、熱媒の温度上昇が緩やかになるため、各暖房端末３０の立上りに多大な時間がかかることが懸念される。
【００８６】
そこで、一括発停モードにて熱源リモコン２０の運転スイッチ２２がオンにされた場合において、水張りを行なうときには、全ての系統の開閉弁３２を各々の開放時間が重複しないように順次開放させる切替制御を実行する。このようにすると、暖房膨張タンク５の容量および循環ポンプ４の吐出能力に制約されることなく、１系統ごとに十分な流量の熱媒を送り込むことができる。これにより、各系統において、熱媒の迅速な昇温を促すことができる。その結果、速やかな立上りを実現でき、暖房熱源装置１００の運転開始時において、各暖房端末３０の立上り性能を向上させることができる。
【００８７】
時刻ｔ４にて全ての系統の暖房端末３０の立上りが完了すると、コントローラ１４は、全ての系統の開閉弁３２を同時に開放させる。これにより、暖房熱源装置１００は、循環ポンプ４の駆動によって、全ての系統の暖房端末３０に対して熱媒を循環供給する運転に移行する。
【００８８】
時刻ｔ４以降、各系統における開閉弁３２の開放時間は、暖房リモコン３４によって制御される。たとえば、暖房リモコン３４は、室温センサにより検出される室温と設定温度との温度偏差に応じて、開閉弁３２の開放時間を制御する。すなわち、第１系統から第１０系統の開閉弁３２の開放時間は、別個独立に制御される。図４の例では、第１系統の暖房端末３０の立上りが完了した時刻ｔ５において、全ての系統の暖房端末３０の立上りが完了する。このように、第１系統から第１０系統の開閉弁３２は、同時に開放されるとともに、各々の開放時間の少なくとも一部が重複するように開閉制御されることになる。本願明細書では、このような開閉弁３２の開閉制御を「同期制御」と称する。同期制御は、「第２のモード」に相当する。
【００８９】
同期制御は、熱源リモコン２０の運転スイッチ２２がオフにされて、暖房リモコン３４の運転スイッチ３６が一括してオフにされるまで、断続的に実行される。たとえば、コントローラ１４は、所定時間ごとに全ての系統の開閉弁３２を同時に開放することにより、同期制御を実行する。各暖房リモコン３４は、室温と設定温度との温度偏差に応じて、対応する開閉弁３２の開放時間を制御する。これにより、各暖房端末３０が設置される部屋の室温を設定温度に維持することができる。
【００９０】
このように同期制御では、全ての系統の開閉弁３２を同時に開放して熱媒の循環供給を行なうため、各系統における熱媒の通流量が、切替制御時の通流量よりも少なくなる。そのため、切替制御と比較して、熱媒の温度の上昇速度が低くなり、各暖房端末３０の立上り時間が長くなる。その結果、全ての系統の暖房端末３０の立上りが完了するまでにかかる時間（以下、「一括立上げ時間」とも称する）を長引かせることが懸念される。言い換えれば、切替制御は、各暖房端末３０の立上げ性能を向上させ、一括立上げ時間を短くできる点で有効であるといえる。
【００９１】
しかしながら、一方で、切替制御では、１つの開閉弁３２が開放すると燃焼バーナ７および送風ファン８を起動させるとともに、この開閉弁３２が閉じると燃焼バーナ７および送風ファン８を停止させるため、各開閉弁３２の開閉に合わせて、燃焼バーナ７および送風ファン８の起動および停止が繰り返し行なわれることになる。
【００９２】
熱源機１０では、通常、燃焼バーナ７を停止したときには、缶体温度を下げるために、燃焼バーナ７を停止した時点から送風ファン８を一定時間運転させた後に、送風ファン８を停止させる。したがって、切替制御によって燃焼バーナ７の起動および停止が繰り返されると、燃焼バーナ７の停止後に送風ファン８を運転させる頻度も増えてしまう。その結果、切替制御は、同期制御に比べて、暖房熱源装置１００の運転効率が低くなり、消費電力量が増えることが懸念される。言い換えれば、同期制御は、暖房熱源装置１００の運転効率を向上させる点で有効であるといえる。
【００９３】
そこで、図４に示したように、本実施の形態に係る暖房熱源装置１００では、一括発停モードにて熱源リモコン２０の運転スイッチ２２がオンにされた場合には、全系統の開閉弁３２に対して切替制御を実行し、切替制御を実行した後は、同期制御に移行する。
【００９４】
これによると、図４のように暖房熱源装置１００の運転開始時に水張りを行なう場合には、切替制御を行なうことで水張りを速やかに行なうことができるとともに、各暖房端末３０の立上り性能を高めることができるため、一括立上げ時間を短くすることができる。そして、暖房熱源装置１００の運転中は、全ての系統の開閉弁３２に対して同期制御を実行することで、暖房熱源装置１００の運転効率を向上させることができる。その結果、複数の暖房端末３０に対して熱媒を循環供給する暖房熱源装置１００において、暖房端末３０の立上り性能の確保と運転効率の向上とを両立させることができる。
【００９５】
なお、暖房熱源装置１００の運転開始時に水張りを行なわない場合には、一括発停モードにて熱源リモコン２０の運転スイッチ２２がオンにされると、全ての系統の開閉弁３２に対して同期制御を実行するようにしてもよい。これによると、運転開始時において切替制御を実行する場合に比べて、各暖房端末３０の立上りに時間がかかる可能性があるものの、暖房熱源装置１００の運転効率をさらに高めることができる。
【００９６】
ここで、通常、暖房熱源装置１００では、運転開始後の所定時間内において、暖房端末３０が室温等を速やかに上昇させるために、いわゆるホットダッシュ制御が適用される。たとえば、ホットダッシュ制御の実行時は、暖房出力口１２から暖房端末３０へ供給される熱媒の温度が、通常の６０℃前後から、７０℃程度に上昇される。ホットダッシュ制御は「迅速加熱運転」に相当する。
【００９７】
ホットダッシュ制御の適用時には、缶体出側温度の目標温度（缶体目標温度）が通常時（ホットダッシュ制御の非実行時）よりも高くなるので、缶体における目標昇温量も大きくなる。これにより、燃焼バーナによる要求発生熱量が大きく算出されるため、始動後の初期期間において、缶体出側温度、すなわち、暖房端末３０へ供給される熱媒の温度を速やかに上昇することができる。
【００９８】
本実施の形態に係る暖房熱源装置１００では、一括発停モードにてホットダッシュ制御の適用時においても、全ての系統の開閉弁３２に対して切替制御を実行することができる。これによると、各系統へ供給される熱媒を速やかに昇温することができるため、各暖房端末３０を速やかに立上げて、各部屋の室温を速やかに上昇させることが可能となる。
【００９９】
具体的には、コントローラ１４は、図４の時刻ｔ１において、熱源リモコン２０の運転スイッチ２２がオンにされ、各暖房リモコン３４から運転オン指令を受けると、ホットダッシュ制御機能が有効に設定されているか否かを判定する。ホットダッシュ制御機能が有効に設定されている場合、コントローラ１４は、全ての系統の開閉弁３２に対して切替制御を実行する。図４の時刻４において、全ての系統の暖房端末３０の立上りが完了すると、コントローラ１４は同期制御に移行する。その後、コントローラ１４は、熱源リモコン２０の運転スイッチ２２がオフにされて、暖房リモコン３４の運転スイッチ３６が一括してオフにされるまで、同期制御を断続的に実行する。
【０１００】
これに対して、通常時（ホットダッシュ制御の非実行時）には、一括発停モードにて熱源リモコン２０の運転スイッチ２２がオンにされると、コントローラ１４は、全ての系統の開閉弁３２に対して同期制御を実行することができる。これによると、切替制御を実行する場合に比べて、各暖房端末３０の立上りに多少の時間がかかる可能性があるものの、暖房熱源装置１００の運転効率をさらに高めることができる。
【０１０１】
このように、本実施の形態によれば、一括発停モードにおける暖房熱源装置１００の運転開始時において、全ての系統の開閉弁３２の切替制御を実行することにより、各暖房端末３０の立上り性能を向上させることができる。これによると、運転開始時に水張りを行なう場合や、ホットダッシュ制御が適用されている場合においても、各暖房端末３０を迅速に立上げることができる。
【０１０２】
また、暖房熱源装置１００は、切替制御によって全ての暖房端末３０の立上げを完了した後は、全ての系統の開閉弁３２の同期制御に移行し、同期制御を断続的に実行することにより、切替制御を継続して実行する場合に比べて、暖房熱源装置１００の運転効率を向上させることができる。
【０１０３】
なお、暖房熱源装置１００は、上述したように、一括発停モードにおける運転開始時において、水張りを行なわない場合、または、ホットダッシュ制御が適用されていない場合には、全ての系統の開閉弁３２に対して、切替制御に代えて、同期制御を実行するようにしてもよい。これによると、各暖房端末３０の立上り性能に支障のない範囲で、暖房熱源装置１００の運転効率をさらに高めることができる。
【０１０４】
すなわち、本実施の形態に係る暖房熱源装置１００によれば、一括発停モードにおける全ての系統の開閉弁３２の開閉制御において、切替制御と同期制御とを使い分けることができることから、各暖房端末３０の立上り性能の確保と運転効率の向上とを両立させることができる。
【０１０５】
［実施の形態２］
上記の実施の形態１で示したように、全ての系統の開閉弁３２の開閉制御に切替制御を適用することで、各系統の暖房端末３０の立上り性能を向上させることができる。しかしながら、その一方で、図４に示すように、第１系統から第１０系統まで順番に１系統ずつ暖房端末３０が立上げられるため、第１系統の暖房端末３０が立上がるタイミングと、第１０系統の暖房端末３０が立上がるタイミングとの間に時間差が生じることになる。その結果、第１０系統の暖房端末３０が設置された部屋では、暖房リモコン３４の運転スイッチ３６がオンにされた後、室温がなかなか上昇しないという状況が起こり得る。
【０１０６】
実施の形態２では、複数の系統の暖房端末３０の間に生じる立上りの時間差の影響を軽減することができる切替制御について説明する。なお、実施の形態２では、暖房熱源装置１００の構成を始め、切替制御以外の構成および制御は、実施の形態１と同様である。
【０１０７】
実施の形態２に係る切替制御においては、コントローラ１４は、予め設定されている優先順位に従って、第１系統から第１０系統の開閉弁３２を順次開放させることができる。この優先順位は、たとえば、コントローラ１４のマイコン１４０に内蔵されるメモリ１４２に、各系統を管理するための系統管理テーブル２００として格納しておくことができる。系統管理テーブル２００は「設定手段」の一実施例に対応し、メモリ１４２は「記憶手段」の一実施例に対応する。
【０１０８】
図５は、系統管理テーブル２００の構成を説明する図である。図５に示すように、系統管理テーブル２００には、優先順位の欄が設けられており、第１系統から第１０系統の各々に対応して、優先順位が設定されている。
【０１０９】
各系統の優先順位は、ユーザが、各暖房端末３０の使用状況等を考慮して設定し、設定した優先順位をメモリ１４２に書込むことができる。たとえば、使用頻度が最も高い暖房端末３０を最上位に設定し、使用頻度が最も低い暖房端末３０を最下位に設定することができる。優先順位を設定するための指針は、ユーザが任意に定めることができる。
【０１１０】
あるいは、マイコン１４０が自動的に優先順位を設定し、メモリに１４２に格納するようにしてもよい。たとえば、マイコン１４０は、立上り時間が最も長い暖房端末３０を最上位に設定し、立上り時間が最も短い暖房端末３０を最下位に設定することができる。もしくは、立上り時間が最も短い暖房端末３０を最上位に設定し、立上り時間が最も長い暖房端末３０を最下位に設定することができる。各暖房端末３０の立上り時間には、各系統の熱媒流路の構造に基づいて算出された推定値を用いることができる。あるいは、過去の切替制御の実行時における各暖房端末３０の立上り時間の実績値をメモリ１４２に格納しておき、この実績値を参照することができる。この場合、マイコン１４０は、実績値に基づいて、メモリ１４２に記憶されている系統管理テーブルを更新することができるため、優先順位を適当に変更することができる。
【０１１１】
このように、実施の形態２に係る暖房熱源装置１００によれば、実施の形態１と同様に、一括発停モードにおける暖房熱源装置１００の運転開始時において、全ての系統の開閉弁３２に対して切替制御を実行することにより、各暖房端末３０の立上げ性能を向上させることができる。
【０１１２】
さらに、実施の形態２では、切替制御において、各系統の開閉弁３２を開放する順序に優先順位を設定することができるため、複数の系統の暖房端末３０の間に生じる立上りの時間差の影響を軽減することができる。よって、ユーザの利便性を向上させることができる。
【０１１３】
［実施の形態３］
再び図２を参照して、熱源リモコン２０は、暖房熱源装置１００の運転開始または運転停止の予約を指示するための予約スイッチ２４を有している。ユーザは、予約スイッチ２４を操作することで、各暖房端末３０における立上りが完了する時刻を予約することができる。さらに、一括発停モードにおいては、ユーザは、予約スイッチ２４を操作することで、全ての系統の暖房端末３０の立上りが完了する時刻（以下、「一括立上げ完了時刻」とも称する）を予約することができる。
【０１１４】
実施の形態３では、予約スイッチ２４が操作された場合の一括発停モードにおける暖房熱源装置１００の動作の第１態様について説明する。なお、実施の形態３では、暖房熱源装置１００の構成および制御は、実施の形態１と同様である。
【０１１５】
図６は、予約スイッチ２４が操作された場合の一括発停モードにおける暖房熱源装置１００の動作の第１態様を説明するためのタイミングチャートである。図６には、熱源リモコン２０の運転スイッチ２２および予約スイッチ２４の状態、低温サーミスタ１５の検出温度（タンク内湯温）、および第１系統から第１０系統の各々の開閉弁３２の開閉状態の時間的変化が示されている。
【０１１６】
図６を参照して、時刻ｔ０にて熱源リモコン２０の予約スイッチ２４がオンされ、一括立上げ完了時刻ｔ♯が予約されたものとする。コントローラ１４は、予約スイッチ２４がオンにされると、一括立上げ完了時刻ｔ♯および一括立上げ時間に基づいて、暖房熱源装置１００の運転開始時刻ｔ１を算出する。その後、運転開始時刻ｔ１が到来すると、コントローラ１４は、熱源リモコン２０の運転スイッチ２２をオンにすることにより、１０台の暖房リモコン３４の運転スイッチ３６を一括してオンにする。各暖房リモコン３４から暖房端末３０の運転オン指令を受けると、コントローラ１４は、循環ポンプ４を作動するとともに、低温サーミスタ１５および高温サーミスタ１６による検出温度に基づいて、燃焼バーナ７への供給ガス量および送風ファン８の回転数を制御する。
【０１１７】
コントローラ１４は、さらに、全ての系統の開閉弁３２に対して切替制御を実行する。図６の例では、コントローラ１４は、図４と同様に、最初に、第１系統における開閉弁３２を開放させる。そして、第１系統の暖房端末３０の立上りが完了すると、第１系統の開閉弁３２を閉じるとともに、第２系統の開閉弁３２を開放させる。コントローラ１４は、第１系統から第１０系統の開閉弁３２を順次開放することにより、第１系統から第１０系統の暖房端末３０を順次立上げていく。第１０系統の暖房端末３０が立上がると、全ての系統の暖房端末３０の立上りが完了する。第１０系統の暖房端末３０の立上りが完了する時刻は、予約スイッチ２４により設定された一括立上げ完了時刻の予約時刻ｔ♯にほぼ一致する。予約時刻ｔ♯が到来すると、予約スイッチ２４はオンからオフに切替えられる。
【０１１８】
図６に示すように、一括立上げ完了時刻ｔ♯が予約された場合には、コントローラ１４は、暖房熱源装置１００の運転開始時において、全ての系統の開閉弁３２に対して切替制御を実行する。そして、一括立上げ完了時刻ｔ♯以降、コントローラ１４は、同期制御を実行する。コントローラ１４は、熱源リモコン２０の運転スイッチ２２がオフにされて、暖房リモコン３４の運転スイッチ３６が一括してオフにされるまで、同期制御を断続的に実行する。
【０１１９】
上述したように、切替制御においては、複数の系統の暖房端末３０の間で立上りのタイミングに時間差が生じる。一方で、一括立上げ完了時刻ｔ♯が予約された場合には、ユーザは、予約時刻ｔ♯に全ての系統の暖房端末３０の立上りが完了していることを要求しており、この要求が満たされていれば、暖房端末３０間の立上りの時間差についてはほとんど問題視していないことがある。
【０１２０】
そこで、本実施の形態では、予約スイッチ２４の操作に基づいた、暖房熱源装置１００の運転開始時には、全ての開閉弁３２に対して切替制御を実行する。これにより、予約時刻ｔ♯において全ての系統の暖房端末３０の立上げが完了するように、各暖房端末３０を迅速に立上げることができる。したがって、予約スイッチ２４がオンにされた時刻ｔ０と予約時刻ｔ♯との間に十分な時間がないような場合においても、予約時刻ｔ♯に全ての系統の暖房端末３０の立上げを完了させることができる。
【０１２１】
一方で、予約スイッチ２４の操作によらない、運転スイッチ２２の操作に基づいた暖房熱源装置１００の運転開始時には、全ての開閉弁３２に対して同期制御を実行することにより、通常運転での暖房端末３０間の立上りの時間差を低減することができる。
【０１２２】
ここで、コントローラ１４は、一括立上げ完了時刻ｔ♯から暖房熱源装置１００の運転開始時刻ｔ１を算出するためには、切替制御時の一括立上げ時間の情報が必要となる。この一括立上げ時間は、固定時間として予め設定しておくことができる。
【０１２３】
あるいは、コントローラ１４に、切替制御時の一括立上げ時間の学習機能を持たせることができる。具体的には、暖房熱源装置１００の運転開始時に複数の系統の開閉弁３２の切替制御が実行されたときには、コントローラ１４内のマイコン１４０は、タイマを用いて一括立上げ時間を計測し、計測値をメモリ１４２に格納する。そして、マイコン１４０は、メモリ１４２に蓄積されている複数の計測値に基づいて、一括立上げ時間を学習する。たとえば、マイコン１４０は、メモリ１４２に蓄積されている複数の計測値から最近の計測値を抽出し、抽出した計測値の平均値を取得する。マイコン１４０は、取得した平均値に基づいて、一括立上げ時間を更新する。これによると、一括立上げ時間の精度を高めることができるため、予約時刻ｔ♯において正確に全ての暖房端末３０の立上げを完了させることができる。
【０１２４】
なお、本実施の形態においても、実施の形態２と同様に、コントローラ１４は、予め設定されている優先順位に従って、全ての系統の開閉弁３２を順次開放させることができる。
【０１２５】
［実施の形態４］
実施の形態１で説明したように、本実施の形態に係る暖房熱源装置１００では、一括発停モードにおける運転開始時において、複数の系統の開閉弁３２に対して、切替制御および同期制御のいずれかを実行することができる。たとえば、運転開始時に水張りを行なわない場合やホットダッシュ制御の非適用時においては、同期制御を実行することで、各系統の暖房端末３０の立上り性能に支障のない範囲で、暖房熱源装置１００の運転効率をさらに高めることができる。
【０１２６】
したがって、予約スイッチ２４が操作されて一括立上げ完了時刻が予約された場合においても、予約時刻に全ての系統の暖房端末３０の立上りが完了していればよいことから、暖房熱源装置１００の運転開始時において、同期制御を実行することができる。
【０１２７】
本実施の形態４では、予約スイッチ２４が操作された場合の一括発停モードにおける暖房熱源装置１００の動作の第２態様について説明する。なお、実施の形態４では、暖房熱源装置１００の構成および制御は、実施の形態１と同様である。
【０１２８】
図７は、予約スイッチ２４が操作された場合の一括発停モードにおける暖房熱源装置１００の動作の第２態様を説明するためのタイミングチャートである。図７には、熱源リモコン２０の運転スイッチ２２および予約スイッチ２４の状態、低温サーミスタ１５の検出温度（タンク内湯温）、第１系統から第１０系統の各々の開閉弁３２の開閉状態、および各暖房リモコン３４の室温センサの検出温度（室温）の時間的変化が示されている。
【０１２９】
図７を参照して、コントローラ１４は、時刻ｔ１１にて熱源リモコン２０の運転スイッチ２２がオンにされると、全ての系統の暖房リモコン３４の運転スイッチ３６を一括してオンにする。各暖房リモコン３４から暖房端末３０の運転オン指令を受けると、コントローラ１４は、全ての系統の開閉弁３２に対して同期制御を実行する。たとえば、コントローラ１４は、暖房膨張タンク５内が空でないと判定された場合、または、ホットダッシュ制御が適用されていないと判定された場合において、同期制御を実行する。
【０１３０】
時刻ｔ１１にて、コントローラ１４は、全ての系統の開閉弁３２を同時に開放させる。各系統における開閉弁３２の開放時間は、対応する暖房リモコン３４によって別個独立に制御される。各暖房リモコン３４は、室温センサにより検出される室温と設定温度（Ｔ１＊〜Ｔ１０＊のいずれか）との温度偏差に応じて、開閉弁３２の開放時間を制御する。
【０１３１】
図７の例では、第１系統の暖房端末３０の立上りが完了した時刻ｔ１２において、全ての系統の暖房端末３０の立上りが完了する。すなわち、時刻ｔ１１から時刻ｔ１２までの時間が、同期制御時の一括立上り時間に相当する。このように、同期制御時の一括立上り時間は、系統ごとの暖房端末３０の立上り時間のうち最も長い立上り時間によって決まる。
【０１３２】
各系統の暖房端末３０の立上り時間は、室温および設定温度によって変動する。したがって、同期制御時の一括立上り時間も変動する。コントローラ１４は、同期制御時の一括立上り時間の学習機能を有している。
【０１３３】
具体的には、コントローラ１４は、暖房熱源装置１００の運転開始時における同期制御の一括立上げ時間を計測し、計測値をメモリ１４２に格納する。このとき、コントローラ１４は、メモリ１４２に格納されている同期制御の一括立上げ時間と、計測値とを比較する。計測値がメモリ１４２内の一括立上げ時間よりも長い場合、コントローラ１４は、メモリ１４２に今回の計測値を書込むことにより、メモリ１４２内の一括立上げ時間を更新する。一方、計測値がメモリ１４２内の一括立上げ時間よりも短い場合には、コントローラ１４は、メモリ１４２内の一括立上げ時間を更新せずに保持する。これによると、メモリ１４２には、過去に運転開始時に実行された同期制御における一括立上げ時間の実績値のうち、最も長いものが記憶されることになる。
【０１３４】
図７では、計測値（時刻ｔ１１から時刻ｔ１２までの時間）が、メモリ１４２内の一括立上げ時間よりも長いものとする。よって、メモリ内の一括立上げ時間は、計測値に更新される。
【０１３５】
時刻ｔ１２以降、コントローラ１４は、所定周期で同期制御を断続的に実行する。そして、時刻ｔ１３において熱源リモコン２０の運転スイッチ２２がオフにされると、コントローラ１４は、全ての系統の暖房リモコン３４の運転スイッチ３６を一括してオフにする。これにより、全ての系統の暖房端末３０および暖房熱源装置１００が停止する。
【０１３６】
時刻ｔ１３より後の時刻ｔ１４にて、再び熱源リモコン２０の運転スイッチ２２がオンにされ、暖房熱源装置１００が運転開始すると、コントローラ１４は、全ての系統の開閉弁３２に対して同期制御を実行する。時刻ｔ１４より後の時刻ｔ１５にて第１系統の暖房端末３０が立上り、全ての系統の暖房端末３０の立上りが完了すると、コントローラ１４は、時刻ｔ１４から時刻ｔ１５までの時間を、同期制御時の一括立上り時間の計測値として取得し、メモリ１４２内の一括立上り時間と比較する。図７では、計測値（時刻ｔ１４から時刻ｔ１５までの時間）が、メモリ１４２内の一括立上げ時間（時刻ｔ１１から時刻ｔ１２までの時間）よりも短いものとする。よって、メモリ内の一括立上げ時間は更新されない。
【０１３７】
このようにして、コントローラ１４は、暖房熱源装置１００の運転開始時において同期制御が実行されるごとに、同期制御時の一括立上り時間を計測し、計測値に基づいてメモリ１４２内の一括立上げ時間を更新する。
【０１３８】
ここで、時刻ｔ１７にて熱源リモコン２０の予約スイッチ２４がオンされ、一括立上げ完了時刻ｔ♯が予約されたものとする。コントローラ１４は、予約スイッチ２４がオンにされると、一括立上げ完了時刻ｔ♯および、メモリ１４２に格納されている同期制御時の一括立上げ時間に基づいて、暖房熱源装置１００の運転開始時刻ｔ１８を算出する。
【０１３９】
その後、運転開始時刻ｔ１８が到来すると、コントローラ１４は、熱源リモコン２０の運転スイッチ２２をオンとすることにより、１０台の暖房リモコン３４の運転スイッチ３６を一括してオンにする。各暖房リモコン３４から暖房端末３０の運転オン指令を受けると、コントローラ１４は、循環ポンプ４を作動するとともに、低温サーミスタ１５および高温サーミスタ１６による検出温度に基づいて、燃焼バーナ７への供給ガス量および送風ファン８の回転数を制御する。
【０１４０】
コントローラ１４は、さらに、全ての系統の開閉弁３２に対して同期制御を実行する。図７の例では、第１系統の暖房端末３０が立上がると（時刻ｔ１９）、全ての系統の暖房端末３０の立上りが完了する。第１系統の暖房端末３０の立上りが完了する時刻は、予約スイッチ２４により設定された一括立上げ完了時刻の予約時刻ｔ♯にほぼ一致する。予約時刻ｔ♯が到来すると、予約スイッチ２４はオンからオフに切替えられる。
【０１４１】
図７に示すように、一括立上げ完了時刻ｔ♯が予約された場合には、コントローラ１４は、暖房熱源装置１００の運転開始時において、全ての系統の開閉弁３２に対して同期制御を実行する。そして、一括立上げ完了時刻ｔ♯以降、コントローラ１４は、熱源リモコン２０の運転スイッチ２２がオフにされて、暖房リモコン３４の運転スイッチ３６が一括してオフにされるまで、同期制御を断続的に実行する。
【０１４２】
上述したように、同期制御においては、切替制御に比べて、各暖房端末３０の立上りに時間がかかるが、暖房熱源装置１００の運転効率を高めることができる。一括立上げ完了時刻ｔ♯が予約された場合には、通常、ユーザは、予約時刻ｔ♯に全ての系統の暖房端末３０の立上りが完了していれば、一括立上り時間の長短についてはほとんど問題視していないことがある。
【０１４３】
そこで、予約スイッチ２４の操作に基づいた、暖房熱源装置１００の運転開始時には、全ての開閉弁３２に対して同期制御を実行することで、予約された一括立上げ時刻ｔ♯を遵守しながら、暖房熱源装置１００の運転効率をさらに高めることができる。
【０１４４】
なお、本実施の形態に係る暖房熱源装置における熱源機の構成は、図１に示された熱源機１０の構成に限定されるものではない。すなわち、図１では、熱媒を加熱するための熱量を発生する熱源としてガスバーナを例示したが、石油を燃焼する石油バーナ、あるいはヒートポンプ等の任意の熱源を適用可能である。
【０１４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４６】
１  熱媒循環回路、１ａ  低温往き回路、１ｂ  高温往き回路、１ｃ  バイパス回路、２  一次熱交換器、３  二次熱交換器、４  循環ポンプ、５  暖房膨張タンク、６  補給水弁、７  燃焼バーナ、８  送風ファン、９  暖房戻口、１０  熱源機、１１，１２  暖房出力口、１４  コントローラ、１５  低温サーミスタ、１６  高温サーミスタ、１７  水位電極、１８，２８，３９  通信部、２０  熱源リモコン、２１，３５，１４０  マイコン、２２，３６  運転スイッチ、２３，１４２，３５０  メモリ、２４  予約スイッチ、２６，３８  表示部、３０  暖房端末、３４  暖房リモコン、１００  暖房熱源装置、２００  系統管理テーブル。
【図１】
2019128072.tif 000003
【図２】
2019128072.tif 000004
【図３】
2019128072.tif 000005
【図４】
2019128072.tif 000006
【図５】
2019128072.tif 000007
【図６】
2019128072.tif 000008
【図７】
2019128072.tif 000009